(57)【要約】 【課題】  携帯端末を利用して、ユーザーが希望するテレビ局が放送した映像を選択して携帯端末上において手軽かつ迅速に視認できるようにした携帯端末映像表示システムを提供する。【解決手段】  テレビ放送局が放送する放送番組を録画する録画ファイルを有する録画手段と、前記録画手段により録画された映像に対応するメタデータを格納するメタデータ格納ファイルを有するメタデータ格納手段と、広域通信ネットワークを介して前記録画ファイル及びメタデータ格納ファイルにアクセスしうる携帯端末とを備え、前記携帯端末は前記メタデータ格納ファイルに格納されたメタデータをディスプレイ上に表示し、使用者が前記ディスプレイ上に表示されたメタデータを選択した場合には、前記録画ファイルにアクセスして前記録画手段の録画ファイルから選択されたメタデータに対応する映像を取得して当該映像をディスプレイ上に表示しうる。【選択図】  図１
2016096412.tif 000002
【特許請求の範囲】
【請求項１】
テレビ放送局が放送する放送番組映像を録画する録画ファイルを有する録画手段と、前記録画手段により録画された映像のメタデータを格納するメタデータ格納ファイルを有するメタデータ格納手段と、広域通信ネットワークを介して前記録画ファイル及びメタデータ格納ファイルにアクセスしうる携帯端末とを備え、
前記携帯端末は前記メタデータ格納ファイルに格納されたメタデータをディスプレイ上に表示し、使用者が前記ディスプレイ上に表示されたメタデータを選択した場合には、前記録画ファイルにアクセスして前記録画手段の録画ファイルから選択されたメタデータに対応する映像を取得して、当該映像をディスプレイ上に表示しうることを特徴とする携帯端末映像表示システム。
【請求項２】
テレビ放送局が放送する放送番組映像データを記録する記録ファイルを有する記録手段と、前記記録手段により記録された映像のメタデータを格納するメタデータ格納ファイルを有するメタデータ格納手段と、広域通信ネットワークを介して前記録画ファイル及びメタデータ格納ファイルにアクセスしうる携帯端末とを備え、
前記携帯端末は前記メタデータ格納ファイルに格納されたメタデータをディスプレイ上に表示し、使用者が前記ディスプレイ上に表示されたメタデータを選択した場合には、前記記録ファイルにアクセスして前記記録手段の記録ファイルから選択されたメタデータに対応する映像を取得して、当該映像をディスプレイ上に表示しうることを特徴とする携帯端末映像表示システム。
【請求項３】
前記テレビ放送局は全ての放送局であると共に前記テレビ放送番組は前記テレビ放送局が放送する全ての放送番組であることを特徴とする請求項１又は２のいずれか１項に記載の携帯端末映像表示システム。
【請求項４】
前記携帯端末は多機能携帯電話であることを特徴とする請求項１又は２のいずれか１項に記載の携帯端末映像表示システム。
【請求項５】
前記録画ファイルは、放送された番組コンテンツと、前記番組コンテンツが放送されたチャンネル名と、前記番組コンテンツのタイムコードとを有することを特徴とする請求項１記載の携帯端末映像表示システム。
【請求項６】
前記記録ファイルは、放送された番組コンテンツと、前記番組コンテンツが放送されたチャンネル名と、前記番組コンテンツのタイムコードとを有することを特徴とする請求項２記載の携帯端末映像表示システム。
【請求項７】
前記メタデータ格納ファイルには、前記番組コンテンツ要約テキストデータと、前記番組コンテンツが放送されたチャンネル名と、前記番組コンテンツのタイムコードとが記録されていることを特徴とする請求項１又は２のいずれか１項に記載の携帯端末映像表示システム。
【請求項８】
前記広域通信ネットワークは、インターネットであることを特徴とする請求項１又は２のいずれか１項に記載の携帯端末映像表示システム。
【請求項９】
前記記録ファイルに記録された放送番組データは、ＭＰＥＧ−２  ＰＳフォーマットにより記録されていることを特徴とする請求項２記載の携帯端末映像表示システム。
【発明の詳細な説明】
【技術分野】
【０００１】
本発明は、テレビ局が放送している映像を、ユーザーが適宜選択して携帯端末のディスプレイ上に表示させて見ることができる携帯端末映像表示システムに関する。
【背景技術】
【０００２】
現在、携帯電話、特にスマートフォンと称される多機能携帯電話が普及して広く使用されている。このようなスマートフォンには、ブラウザ機能が内臓されており、インターネットへの接続により様々なウェブ情報をディスプレイ上に表示して閲覧することができるようなっている。
【０００３】
一方、本件特許出願人は、過去において、テレビ放送局が放送するテレビ放送番組を録画する録画手段と、前記録画手段により録画された映像に対応させ番組内容を要約したメタデータを格納するメタデータ格納手段と、画面上に前記メタデータを表示させることができるディスプレイ手段とを備え、ユーザーが画面上に表示されたメタデータを視認して適宜選択することにより、当該メタデータに対応する映像を画面上に表示させて視認できるように構成された映像システムに関する発明を出願して特許を取得している（特許文献１）
【０００４】
前記のようにスマートフォンの普及は著しく、また、ディスプレイの画質及び大きさは随時改良され、現在では高解像度の大型テレビと同様の解像度を有すると共に、戸外の外光下でも十分に見やすい高輝度を実現していることから、ユーザーは、戸外においてもスマートフォン上で高品質な映像を視認できるようになっている。
【０００５】
従って、テレビ放送局が放送する映像の内、ユーザーが希望する番組や、番組内の個別のコーナー映像を適宜選択して携帯端末を利用して戸外においてもテレビ映像をディスプレイ上において視認して楽しめれば便利である。
【０００６】
現代人は非常に多忙であり長距離通勤者も多数いることから、家庭においてゆっくりとテレビ受像機によりテレビ映像を視認する時間がない場合も多く、そのような場合には、例えば、通勤途上において通勤電車内又はオフィスにおいて携帯電話を利用して希望するテレビ番組又はそのコーナー映像を見て楽しみたい場合もある。
【特許文献１】特許第４２２７８６６号
【発明の開示】
【発明が解決しようとする課題】
【０００７】
本発明は、このような要請に応えるものであり、携帯端末を利用して、ユーザーが希望するテレビ局が放送した映像を選択して携帯端末上において手軽かつ迅速に視認できるようにした携帯端末映像表示システムを提供することにある。
【課題を解決するための手段】
【０００８】
上記課題達成のため、請求項１記載の発明にあっては、テレビ放送局が放送する放送番組映像を録画する録画ファイルを有する録画手段と、前記録画手段により録画された放送番組映像のメタデータを格納するメタデータ格納ファイルを有するメタデータ格納手段と、広域通信ネットワークを介して前記録画ファイル及びメタデータ格納ファイルにアクセスしうる携帯端末とを備え、前記携帯端末は前記メタデータ格納ファイルに格納されたメタデータをディスプレイ上に表示し、使用者が前記ディスプレイ上に表示されたメタデータを選択した場合には、前記録画ファイルにアクセスして前記録画手段の録画ファイルから選択されたメタデータに対応する放送番組映像を取得して当該放送番組映像をディスプレイ上に表示しうることを特徴とする。
【０００９】
ここで「放送番組映像」とは、例えば、所定時間に亘るある放送番組全体の映像、放送番組を構成するコーナー映像、さらに、放送番組を構成する各記事単位の映像を含む概念である。
従って、請求項１記載の発明にあっては、ユーザーは、携帯端末のブラウザ機能を利用して広域通信ネットワークを介してメタデータ格納ファイルにアクセスしてテレビ局により放送された映像に対応する前記メタデータをディスプレイ上に表示させ、自分の希望するメタデータを選択する。
メタデータが選択された場合には、同様にブラウザ機能により広域通信ネットワークを介して前記録画手段の前記録画ファイルにアクセスして当該メタデータに対応する映像を取得してディスプレイ上に表示する。
【００１０】
請求項２記載の発明にあっては、テレビ放送局が放送する放送番組映像データを記録する記録ファイルを有する記録手段と、前記記録手段により記録された放送番組映像のメタデータを格納するメタデータ格納ファイルを有するメタデータ格納手段と、広域通信ネットワークを介して前記録画ファイル及びメタデータ格納ファイルにアクセスしうる携帯端末とを備え、前記携帯端末は前記メタデータ格納ファイルに格納されたメタデータをディスプレイ上に表示し、使用者が前記ディスプレイ上に表示されたメタデータを選択した場合には、前記録画ファイルにアクセスして前記録画手段の録画ファイルから選択されたメタデータに対応する放送番組映像を取得して、当該映像をディスプレイ上に表示しうることを特徴とする。
【００１１】
ここで「放送番組映像」とは、前記請求項１の場合と同様に、例えば、所定時間に亘るある放送番組全体の映像、放送番組を構成するコーナー映像、さらに、放送番組を構成する各記事単位の映像を含む概念である。
従って、請求項２記載の発明にあっては、ユーザーは、携帯端末のブラウザ機能を利用して広域通信ネットワークを介してメタデータ格納ファイルにアクセスしてテレビ局により放送された映像に対応する前記メタデータをディスプレイ上に表示させ、自分の希望するメタデータを選択する。メタデータが選択された場合には広域通信ネットワークを介して前記記録手段の前記記録ファイルにアクセスして当該メタデータに対応する映像を取得してディスプレイ上に表示する。
【００１２】
請求項３記載の発明にあっては、前記テレビ放送局は全ての放送局であると共に前記テレビ放送番組は前記テレビ放送局が放送する全ての放送番組であることを特徴とする。
【００１３】
従って、請求項２記載の発明にあっては、前記録画手段は、全ての放送局の全ての放送番組を録画する。その結果、ユーザーは全ての放送局による全ての放送番組から自分が見たい番組又はコーナーを選択することができる。
【００１４】
請求項４記載の発明にあっては、前記携帯端末は多機能携帯電話であることを特徴とする。従って、ユーザーは多機能携帯電話、即ち、スマートフォンを使用して全ての放送局が放送した全放送番組を視認することができる。
【００１５】
請求項５記載の発明にあっては、前記録画ファイルは、放送された番組コンテンツと、前記番組コンテンツが放送されたチャンネル名と、前記番組コンテンツのタイムコードとを有することを特徴とする。
【００１６】
請求項６記載の発明にあっては、前記記録ファイルは、放送された番組コンテンツと、前記番組コンテンツが放送されたチャンネル名と、前記番組コンテンツのタイムコードとを有することを特徴とする。
【００１７】
請求項７記載の発明にあっては、前記メタデータ格納ファイルには、前記番組コンテンツ要約テキストデータと、前記番組コンテンツが放送されたチャンネル名と、前記番組コンテンツのタイムコードとが記録されていることを特徴とする。
【００１８】
従って、請求項５乃至７記載の発明にあっては、ユーザーが携帯端末を利用してテレビ番組を視認したいと考えた場合には、携帯端末は広域通信ネットワークを介して、前記メタデータ格納手段のメタデータ格納ファイルにアクセスして複数のメタデータをディスプレイ上に表示する。
【００１９】
ユーザーが前記メタデータの中から希望するメタデータを選択した場合には、携帯端末はメタデータのチャンネル名及びタイムコードを利用して、前記録画ファイルまたは前記記録ファイルにアクセスして選択されたメタデータに対応する映像を取得してディスプレイ上に表示する。
【００２０】
請求項８記載の発明にあっては、前記広域通信ネットワークは、インターネットであることを特徴とする。
【００２１】
請求項９記載の発明にあっては、前記記録ファイルに記録された放送番組データは、ＭＰＥＧ−２ＰＳフォーマットにより記録されていることを特徴とする。
「ＭＰＥＧ−２ＰＳフォーマット」とは、ＭＰＥＧ−２システムの一規格フォーマットであり、画像ＥＳ（エレメンタリーストリーム）及び音声ＥＳ（エレメンタリーストリーム）を多重化し伝送又は蓄積するためのデータ形式であり、「プログラムストリーム」と呼ばれている。
【発明の効果】
【００２２】
請求項１記載の発明にあっては、ユーザーは、携帯端末を利用して広域通信ネットワークを介してメタデータ格納ファイルにアクセスしてテレビ局により放送された映像に対応する前記メタデータをディスプレイ上に表示させて自分の希望するメタデータを選択し、メタデータが選択された場合には、携帯端末を利用して広域通信ネットワークを介して前記録画手段の前記録画ファイルにアクセスして当該メタデータに対応する映像を取得してディスプレイ上に表示するように構成されていることから、ユーザーは携帯端末のディスプレイ上において、ユーザーが希望するテレビ放送局が放送するテレビ番組、テレビ番組を構成するコーナー映像又は記事単位の映像を視認することができる。
【００２３】
請求項２記載の発明にあっては、ユーザーは、携帯端末を利用して広域通信ネットワークを介してメタデータ格納ファイルにアクセスしてテレビ局により放送された映像に対応する前記メタデータをディスプレイ上に表示させ、自分の希望するメタデータを選択する。メタデータが選択された場合には広域通信ネットワークを介して前記記録手段の前記記録ファイルにアクセスして当該メタデータに対応する放送番組映像を取得してディスプレイ上に表示するように構成されていることから、例えば、テレビ放送局が自社又は関連する会社において、自社が放送したテレビ番組をハードディスク等により記録保存している場合には、その記録手段の記録ファイルにアクサスして携帯端末のディスプレイ上において、ユーザーが希望するテレビ放送局が放送したテレビ番組、テレビ番組を構成するコーナー映像又は記事単位の映像を視認することができる。
【００２４】
特に、請求項８記載の発明にあっては、多機能携帯電話、即ち、スマートフォンによりテレビ番組又はコーナーの映像を視認することができる。
【図面の簡単な説明】
【００２５】
【図１】本発明に係る携帯端末映像表示システムの一実施の形態を示す概念図である。
【図２】本発明に係る携帯端末映像表示システムの一実施の形態を示す概念図であって、携帯端末及び携帯端末のディスプレイに表示されるメタデータの一例を示し、メタデータが表示される最初のページを示す図である。
【図３】本発明に係る携帯端末映像表示システムの一実施の形態を示す概念図であって、携帯端末及び携帯端末のディスプレイに表示されるメタデータ及び対応する映像を示す画像の一例を示し、メタデータが表示される次ページを示す図である。
【図４】本発明に係る携帯端末映像表示システムの一実施の形態を示す概念図であって、携帯端末及び携帯端末のディスプレイに表示される映像コンテンツを表示する画像の一例を示す、さらに次のページを示す図である。
【図５】本発明に係る携帯端末映像表示システムの他の実施の形態を示す概念図である。
【発明を実施するための最良の形態】
【００２６】
以下、添付図面に示す実施の形態に基づき、本発明を詳細に説明する。
図１に示すように、本実施の形態に係る携帯端末映像表示システム１０は、テレビ放送局２５が放送する放送番組映像を録画する録画ファイル１１を有する録画手段１２と、前記録画手段１２により録画された放送番組映像に対応するメタデータを格納するメタデータ格納ファイル１３を有するメタデータ格納手段１４と、広域通信ネットワーク１５を介して前記録画ファイル１１及びメタデータ格納ファイル１３にアクセスしうる携帯端末としてのスマートフォン１６とを備えている。
【００２７】
携帯端末１６は前記メタデータ格納ファイル１１に格納された複数のメタデータをディスプレイ１７上に表示し、使用者が前記ディスプレイ１７上に表示されたいずれかのメタデータ１８を選択した場合には、前記録画ファイル１１にアクセスして前記録画手段１２の録画ファイル１１から選択されたメタデータ１７に対応する映像を取得して、当該映像をディスプレイ１７上に表示するように構成されている。
【００２８】
本実施の形態においては、録画手段１２は全ての放送局２５、例えば、我が国における全ての地上局及び衛星放送の放送局から放送された全ての放送番組の映像を、所定期間、例えば１ヶ月に亘って録画しうるように所定の容量のハードディスク型の記憶装置を有する大型の録画装置である。
本実施の形態において、録画手段１内に装備されたハードディスク内の録画ファイル１１は、テレビ局２５により放送された映像からなる番組コンテンツ１９と、番組コンテンツ１９が放送されたチャンネル名２０と、番組コンテンツ１９のタイムコード２１に関する情報を有している。
この場合、番組コンテンツ１９は、放送番組単位、当該放送番組を構成するコーナー単位、又は当該放送番組を構成する記事単位からなる。
【００２９】
また、メタデータ格納手段１４のメタデータ格納ファイル１３には、番組コンテンツ要約テキストデータ２２と、番組コンテンツ１９が放送されたチャンネル名２３と、番組コンテンツ１９のタイムコード２４とが記録されている。番組コンテンツ要約テキストデータ２２とは、テレビ局２５により放送されたテレビ番組の内容を文字化して要約したものである。
番組コンテンツ要約テキストデータ２２は、番組コンテンツ１９と同様に、放送番組単位、当該放送番組を構成するコーナー単位、又は当該放送番組を構成する記事単位からなる。
【００３０】
本実施の形態にあっては、この番組コンテンツ要約テキストデータ２２は、所定人数の人手を介して、テレビ放送局２５のテレビ放映に伴ってリアルタイムで、放映されたテレビ番組の内容を文字化することにより随時、更新作成される。
【００３１】
即ち、図２に示すように、本実施の形態に係る携帯端末映像表示システム（以下、「本システム」と称する）１０にあっては、スマートフォン１６のディスプレイ１７上には、本システム１０を起動させた場合には本システムのトップページ３４が表示され、トップページ３４の上半部には「ビッグニュース」、「新着まとめ」、「特集」、「イチ押し」、「ＣＭ」、「ランキング」、「生活」等の分類項目部２６が設けられると共に、下半部にはシステム起動時におけるリアルタイムの最新のＴＶ情報を紹介する最新のＴＶ情報表示部２７が表示される。
【００３２】
分類項目部２６には、全てのテレビ放送局２５が放送した全放送番組をユーザーが選択しやすいようにユーザーの視点で分類されて表示されている。従って、「ビッグニュース」、「新着まとめ」、「特集」、「イチ押し」、「ＣＭ」、「ランキング」、「生活」等の夫々の項目ボタン２８をタッチした場合には、図３に示すように、各項目の中でさらに細かく分類された個々のニュースに関するメタデータ（各ニュースのタイトル、要約文）及び、対応する映像情報が相互に関連付けられて多数収納されている。
【００３３】
即ち、例えば、ユーザーが、図２に示す分類項目２６の中で「ビッグニュース」２８ａをタッチした場合には、図３に示すように、ディスプレイ１７上に次の画面３６が展開され、次の画面３６においてディスプレイ１７の上部に、「ビッグニュース」２８ａであると判断された三大ニュース２９が文字によるテキストデータとして表示され、ディスプレイ１７の下部には、三大ニュース２９の個々のニュースに関する文字データによるタイトル３０ａ、１週間における全放送局による放送番組数３１、該当する映像情報の静止画像３２、及び当該映像情報３２の放送日３３、放送時間３４、番組名３５及びメタデータとしての番組内容の要約文４０が表示される。
【００３４】
一方、ＴＶ最新情報表示部２７においては、本システム起動時における直近、最新のテレビ放送のニュース情報が放送時間順に、新しいものをトップにした順番で配置表示されている。即ち、各ニュース２９は、「放送時間」３０、「放送テレビ局名」３８、「分野名」３２、「ニュース内容の要約タイトル」３３が表示され、当該表示文字にタッチした場合には次の画面が展開され、次の画面においては当該ニュースの、より詳細な文字データによる説明文及び対応する動画情報が添付されているように構成されている。
【００３５】
また、図３に示すように、画面３６において表示されている映像情報の静止画像３２をタッチした場合には、ディスプレイ１７上にさらに次の画面３９が展開され、当該画面３９において静止画像３２が拡大表示され、当該静止画像３２中に表示された再生ボタン３７をタッチすることにより「米国大統領訪日」というタイトルに対応する映像コンテンツが動画として再生されるように構成されている。
【００３６】
以下、本実施の形態に係る携帯端末映像表示システム１０の機能及び作用に関し説明する。
本システム１０を利用してテレビ放送局２５の放送する番組又は番組のコーナを見ようとする場合には、スマートフォン１６により本システム１０を起動させる。本システム１０の起動により、図２に示すように、ディスプレイ１７上において本システムのトップページ３４が表示される。
【００３７】
ユーザーがトップページ３４の分類項目部２６の表示項目ボタン２８の内、例えば、「ビッグニュース」２８ａにタッチした場合には、図３に示すように、ディスプレイ１７上において次の画面３６が展開され、当該ボタン２８ａに対応する文字データによる３つのビッグニュースのタイトル３０及びこれに対応する映像コンテンツの静止画像３２がディスプレイ１７上に表示される。
ユーザーは当該静止画像３２にタッチした場合には、図４に示すように、静止画像３２のみが拡大表示され、中央に配置された再生ボタン３７にタッチすることにより、放送番組、番組を構成するコーナー映像又は記事単位の映像コンテンツを動画として見ることができる。
【００３８】
図５は、本発明に係る他の実施の形態を示す。
本実施の形態に係る携帯端末映像表示システム５０は、テレビ放送局２５が
自社又は関連する他の会社において、自社が放送したテレビ番組をハードディスク等の記録媒体により記録保存している場合の概念図を示しており、ユーザーは図５に示す携帯端末映像表示システム５０により番組コンテンツ４３を携帯端末により取得する。前記実施の形態と同一の概念に関しては同一符号を付して説明を省略する。
【００３９】
本実施の形態に係る携帯端末映像表示システム５０は、テレビ放送局２５が放送する放送番組データを記録する記録ファイル４２を有する記録手段４１と、前記記録手段４１により記録された映像のメタデータを格納するメタデータ格納ファイル１３を有するメタデータ格納手段１４と、広域通信ネットワーク１５を介して記録ファイル４１及びメタデータ格納ファイルに１３アクセスしうる携帯端末１６とを備えている。
【００４０】
携帯端末１６はメタデータ格納ファイル１３に格納されたメタデータをディスプレイ１７上に表示し、使用者がディスプレイ１７上に表示されたメタデータを選択した場合には、記録ファイル４２にアクセスして記録手段４１の記録ファイルから選択されたメタデータに対応する映像を取得して、当該映像をディスプレイ１７上に表示しうるように構成されている。
【００４１】
記録ファイル４２は、放送された番組コンテンツ４３と、番組コンテンツ４３が放送されたチャンネル名４４と、番組コンテンツ４３のタイムコード４５とを有している。
【００４２】
本実施の形態にあっても、広域通信ネットワークはインターネットであると共に携帯端末１６はスマートフォンである。
【００４３】
記録ファイル４２に記録された放送番組データは、ＭＰＥＧ−２ＰＳフォーマットにより記録されている。テレビ局２５においては、一般に、テレビ放送は一般及びＨＤＴＶ（高精細度テレビジョン）を含めてＭＰＥＧ−２の規格フォーマットを利用して行われている。なお、「ＭＰＥＧ」は動画等をデジタル化する際の基準に関する標準規格である。
【００４４】
一方、「ＭＰＥＧ−２システム」はＭＰＥＧ−２を多重化し伝送するための規格であり、「ＭＰＥＧ−２ＰＳ」は「プログラムストリーム」と称されている。
符号化された個々の画像・音声データであるエレメンタリストリーム（ＥＳ）を適当な大きさにパケット化したものをＰＥＳと呼び、ＰＥＳを多重化し伝送又は蓄積するためにＭＰＥＧ−２ＰＳが使用される。
【００４５】
ＭＰＥＧ−２ＰＳは、単一のプログラム（相互に同期された一組の映像や音声等）を光ディスク又はＨＤＤ等の記録媒体の、エラーの可能性が低い環境で取り扱うことを想定した形式であり、ＤＶＤ等の記録形式として使用されている。
【００４６】
従って、本実施の形態に係る携帯端末画像表示システム５０を利用してテレビ放送局２５の放送する番組又は番組のコーナを見ようとする場合には、前記実施の形態における場合と同様に、スマートフォン１６により本システム５０を起動させて、図２に示すように、ディスプレイ１７上においてメタデータからなるトップページ３４が表示させ、トップページ３４の分類項目部２６の表示項目ボタン２８を適宜選択し、ディスプレイ１７上に表示された対応する映像コンテンツの静止画像３２をタッチすることにより、図４に示すように、静止画像３２のみが拡大表示され、中央に配置された再生ボタン３７にタッチすることにより映像コンテンツを動画として見ることができる。
【００４７】
本実施の形態にあっては、広域通信ネットワーク１５はインターネットである場合を例に説明したが、ＷＡＮ等の範囲が限定されたエリアネットワークにより本発明に係る携帯端末映像表示システムを実施することもできる。また、本実施の形態にあっては、携帯端末としてスマートフォンを例に説明したが本実施の形態に限定されず、インターネットへアクセスしてウェブを閲覧できるウェブブラウザを備えたいわゆるＰＤＡであればよく、スマートフォンに限定されない。
【００４８】
さらに、前記実施の形態にあっては、携帯端末１６により放送局２５の放送番組を録画した録画手段１２の録画ファイル１１又は、放送局又は関連会社等が保有する記録手段４１の記録ファイル４２にアクセスして番組コンテンツ１９、４３を取得する場合を例に説明したが、これに限定されず、例えば、メタデータ格納手段１４のメタデータ格納ファイル１３のメタデータに基づきインターネット上に存在する動画共有サービスサイト（例えば、「Ｙｏｕ  Ｔｕｂｅ（登録商標）」等）が所有する録画手段にアクセスして、当該メタデータに対応付けられた動画情報としての番組コンテンツを取得するように構成してもよい。
【００４９】
また、前記実施の形態にあっては、スマートフォン等の携帯端末が有するブラウザ機能を利用して録画手段１２又は記録手段４１にインターネットを介してアクセスしてＴＶ放送の番組コンテンツ１９、４３を取得する場合を例に説明したが、これに限定されず、例えば、ブラウザ機能を有するアプリケーションをダウンロードし又はインストールして、当該アプリケーション内のブラウザ機能を使って録画手段１２又は記録手段４１にアクセスするように構成することも可能である。
【産業上の利用可能性】
【００５０】
本発明は携帯端末を利用してテレビ放送された映像を表示させることができることから、広く産業上の利用可能性を有している。
【符号の説明】
【００５１】
１０  携帯端末映像情報表示システム
１１  録画ファイル
１２  録画手段
１３  メタデータ格納ファイル
１４  メタデータ格納手段
１５  広域通信ネットワーク
１６  携帯端末（スマートフォン）
１７  ディスプレイ
１８  メタデータ
１９  番組コンテンツ
２０  チャンネル名
２１  タイムコード
２２  番組コンテンツ要約テキストデータ
２３  チャンネル名
２４  タイムコード
２５  テレビ放送局
２６  分類項目部
２７  ＴＶ情報表示部
２８  項目ボタン
２９  三大ニュース
３０  タイトル
３１  放送番組数
３２  映像情報の静止画像
３３  放送日
３４  放送時間
３５  番組名
３６  画面
３７  再生ボタン
３８  テレビ局名
３９  画面
４０  番組内容の要約文  
【図１】
2016096412.tif 000003
【図２】
2016096412.tif 000004
【図３】
2016096412.tif 000005
【図４】
2016096412.tif 000006
【図５】
2016096412.tif 000007